(57)【要約】【課題】非各台計数方式の遊技台において獲得した持玉によって、景品交換を経由する必要なく各台計数方式の遊技台で再遊技することができるとともに、非会員の一般遊技者に対しても異なる交換レートの遊技台へ台移動を行うことができること。【解決手段】計数装置が計数した遊技媒体の計数値を計数装置と通信する端末装置が取得し、記録媒体から媒体識別子を端末装置が読み取り、媒体識別子に計数値を関連付けて計数値情報として端末装置が管理装置へ送信し、端末装置から受信した計数値情報を管理装置が記憶し、記録媒体から計数値を用いて再遊技するために台間装置が識別子を読み取り、計数値以下の所定の遊技媒体数の払出の指示を台間装置が行うように構成する。【選択図】図２
2010273798.tif 000002
【特許請求の範囲】
【請求項１】
貨幣若しくは有価価値と関連付けられた記録媒体を受け付けて遊技媒体の貸出処理を行う台間装置と、前記遊技媒体を計数する計数装置と、獲得した前記遊技媒体の計数値を前記記録媒体に関連付けて管理する管理装置とを含んだ計数値管理システムであって、
前記計数装置と通信する端末装置は、
前記計数装置が計数した前記遊技媒体の計数値を取得する計数値取得手段と、
前記記録媒体から媒体識別子を読み取る媒体識別子読取手段と、
前記媒体識別子に前記計数値を関連付けて計数値情報として前記管理装置へ送信する計数値情報送信手段と
を備え、
前記管理装置は、
前記端末装置から受信した前記計数値情報を記憶する計数値情報記憶手段
を備え、
前記台間装置は、
前記記録媒体から前記計数値を用いて再遊技するために前記識別子を読み取る再遊技媒体識別子読取手段と、
前記計数値以下の所定の遊技媒体数の払出の指示を行う遊技媒体払出手段と
を備えたことを特徴とする計数値管理システム。
【請求項２】
前記媒体識別子読取手段は、
前記端末装置にあらかじめ収納されている前記記録媒体の前記媒体識別子を読み取り、
前記端末装置は、
前記記録媒体の発行指示を受けたならば、前記計数値情報送信手段によって前記計数値が関連付けられた前記記録媒体の発行を行う記録媒体発行手段
をさらに備えたことを特徴とする請求項１に記載の計数値管理システム。
【請求項３】
前記媒体識別子読取手段は、
前記端末装置外から持ち込まれた前記記録媒体の前記媒体識別子を読み取ることを特徴とする請求項１に記載の計数値管理システム。
【請求項４】
前記端末装置は、
遊技者が当該計数値を利用して再遊技を行う遊技台の遊技媒体の貸出を行うレートである貸出レートを入力する貸出レート入力手段と、
前記端末装置にあらかじめ記憶されており前記端末装置が属するレートを計数レートとしたうえで、前記貸出レートと前記計数レートとが異なる場合、前記計数値取得手段で取得した前記計数値を当該貸出レートおよび当該計数レートに基づいて換算する換算手段と
をさらに備えたことを特徴とする請求項１〜３のいずれか一つに記載の計数値管理システム。
【請求項５】
前記計数値情報送信手段は、
前記端末装置にあらかじめ記憶されており前記端末装置が属するレートを計数レートとしたうえで、前記媒体識別子に前記計数レートをさらに関連付けて前記計数値情報として前記管理装置に送信し、
前記管理装置は、
前記遊技媒体の貸出を行うレートである貸出レートを前記台間装置から受け取ったならば、前記貸出レートと前記計数レートとが異なる場合、前記計数値取得手段で取得した前記計数値を当該貸出レートおよび当該計数レートに基づいて換算する換算手段
をさらに備えたことを特徴とする請求項１〜３のいずれか一つに記載の計数値管理システム。
【請求項６】
計数装置と通信する端末装置であって、
前記計数装置が計数した遊技媒体の計数値を取得する計数値取得手段と、
記録媒体から媒体識別子を読み取る媒体識別子読取手段と、
前記媒体識別子と前記計数値とを関連付けて計数値情報として前記計数値情報を記憶管理する管理装置へ送信する計数値情報送信手段と
を備えたことを特徴とする端末装置。
【請求項７】
遊技媒体を計数する計数装置と、前記遊技媒体の貸出処理を行う遊技媒体貸出装置とを含んだ計数値管理システムであって、
前記計数装置と通信する前記遊技媒体貸出装置は、
前記計数装置が計数した前記遊技媒体の計数値を取得する計数値取得手段と、
前記遊技媒体の貸出を行うレートである貸出レートを入力する貸出レート入力手段と、
前記計数装置にあらかじめ記憶されており前記計数装置が属するレートを計数レートとしたうえで、前記貸出レートと前記計数レートとが異なる場合、前記計数値を当該貸出レートおよび当該計数レートに基づいて換算する換算手段と、
前記換算手段によって換算された換算値に基づいて前記遊技媒体を貸出す遊技媒体貸出手段と
を備えたことを特徴とする計数値管理システム。
【発明の詳細な説明】
【技術分野】
【０００１】
この発明は、貨幣若しくは有価価値と関連付けられた記録媒体を受け付けて遊技媒体の貸出処理を行う台間装置と、遊技媒体を計数する計数装置と、獲得した遊技媒体の計数値を記録媒体に関連付けて管理する管理装置とを含んだ計数値管理システムおよび端末装置に関し、特に、非各台計数方式の遊技台において獲得した持玉によって、景品交換を経由する必要なく各台計数方式の遊技台で再遊技することができるとともに、非会員の一般遊技者に対しても異なる交換レートの遊技台へ台移動を行うことができる計数値管理システムおよび端末装置に関するものである。
【背景技術】
【０００２】
従来から、パチンコ店などの遊技店に設置されるパチンコ機やパチスロ機といった遊技台と並設され、遊技台において遊技者が獲得した遊技媒体（以下、「持玉」と記載する）を計数する各台計数装置が知られている（たとえば、特許文献１参照）。
【０００３】
一方、非各台計数方式の遊技台において、遊技者が獲得した持玉は、遊技店内の「島端」等に設けられた計数機によって計数され、計数結果のレシートが発行される。そして、遊技者は、発行されたレシートをもって、景品交換を行うことができる。ここで、周囲を通路に囲まれたスペースに設けられた遊技台の一群を「島」と呼ぶこととし、「島端」とは、その遊技台の一群の端を意味する。
【０００４】
また、遊技店においては、非各台計数方式の遊技台と各台計数方式の遊技台とを併設する遊技店も見受けられる。さらに、交換レートが異なる複数の遊技台コーナーを設ける遊技店も増加してきている。たとえば、パチンコ玉を１玉４円で払出す４円遊技台コーナーとパチンコ玉を１玉１円で払出す１円遊技台コーナーとを併設するような遊技店もある。
【０００５】
そこで、遊技店の会員となった遊技者へ配布される会員カードによって、異交換レート間の台移動を可能とするような技術が提案されている。たとえば、各台計数装置で計数した持玉の数量を会員カードに関連付け、遊技者は、かかるカードをもって、異なる交換レートの遊技台へ台移動を行って再遊技をすることができる。
【先行技術文献】
【特許文献】
【０００６】
【特許文献１】特開２００７−２２９１１１号公報
【発明の概要】
【発明が解決しようとする課題】
【０００７】
しかしながら、非各台計数方式の遊技台と各台計数方式の遊技台とを併設する遊技店の中で、非各台計数方式の遊技台において獲得した持玉を持ち込んで、各台計数方式の遊技台へ台移動を行うことを禁止する遊技店もある。
【０００８】
このため、遊技者は、非各台計数方式の遊技台において獲得した持玉を、計数機で計数して、一旦景品交換を行う必要があり、交換等に要する時間、遊技店内の遊技台の稼働が下がってしまうという問題があった。
【０００９】
また、交換レートが異なる複数の遊技台コーナーを設ける遊技店においては、非会員の一般遊技者に対して発行される、ビジターカードによって異なる交換レートの遊技台へ台移動を行って再遊技をすることができないという問題があった。
【００１０】
このため、非各台計数方式の遊技台において獲得した持玉によって、景品交換を経由する必要なく各台計数方式の遊技台で再遊技することができるとともに、非会員の一般遊技者に対しても異なる交換レートの遊技台へ台移動を行うことができる計数値管理システムおよび端末装置をいかにして実現するかが大きな課題となっている。
【００１１】
本発明は、上述した従来技術による問題点を解消するためになされたものであって、非各台計数方式の遊技台において獲得した持玉によって、景品交換を経由する必要なく各台計数方式の遊技台で再遊技することができるとともに、非会員の一般遊技者に対しても異なる交換レートの遊技台へ台移動を行うことができる計数値管理システムおよび端末装置を提供することを目的とする。
【課題を解決するための手段】
【００１２】
上述した課題を解決し、目的を達成するため、本発明は、貨幣若しくは有価価値と関連付けられた記録媒体を受け付けて遊技媒体の貸出処理を行う台間装置と、前記遊技媒体を計数する計数装置と、獲得した前記遊技媒体の計数値を前記記録媒体に関連付けて管理する管理装置とを含んだ計数値管理システムであって、前記計数装置と通信する端末装置は、前記計数装置が計数した前記遊技媒体の計数値を取得する計数値取得手段と、前記記録媒体から媒体識別子を読み取る媒体識別子読取手段と、前記媒体識別子に前記計数値を関連付けて計数値情報として前記管理装置へ送信する計数値情報送信手段とを備え、前記管理装置は、前記端末装置から受信した前記計数値情報を記憶する計数値情報記憶手段を備え、前記台間装置は、前記記録媒体から前記計数値を用いて再遊技するために前記識別子を読み取る再遊技媒体識別子読取手段と、前記計数値以下の所定の遊技媒体数の払出の指示を行う遊技媒体払出手段を備えたことを特徴とする。
【００１３】
また、上記の発明において、前記媒体識別子読取手段は、前記端末装置にあらかじめ収納されている前記記録媒体の前記媒体識別子を読み取り、前記端末装置は、前記記録媒体の発行指示を受けたならば、前記計数値情報送信手段によって前記計数値が関連付けられた前記記録媒体の発行を行う記録媒体発行手段をさらに備えたことを特徴とする。
【００１４】
また、上記の発明において、前記媒体識別子読取手段は、前記端末装置外から持ち込まれた前記記録媒体の前記媒体識別子を読み取ることを特徴とする。
【００１５】
また、上記の発明において、前記端末装置は、遊技者が当該計数値を利用して再遊技を行う遊技台の遊技媒体の貸出を行うレートである貸出レートを入力する貸出レート入力手段と、前記端末装置にあらかじめ記憶されており前記端末装置が属するレートを計数レートとしたうえで、前記貸出レートと前記計数レートとが異なる場合、前記計数値取得手段で取得した前記計数値を当該貸出レートおよび当該計数レートに基づいて換算する換算手段をさらに備えたことを特徴とする。
【００１６】
また、上記の発明において、前記計数値情報送信手段は、前記端末装置にあらかじめ記憶されており前記端末装置が属するレートを計数レートとしたうえで、前記媒体識別子に前記計数レートをさらに関連付けて前記計数値情報として前記管理装置に送信し、前記管理装置は、前記遊技媒体の貸出を行うレートである貸出レートを前記台間装置から受け取ったならば、前記貸出レートと前記計数レートとが異なる場合、前記計数値取得手段で取得した前記計数値を当該貸出レートおよび当該計数レートに基づいて換算する換算手段をさらに備えたことを特徴とする。
【発明の効果】
【００１７】
本発明によれば、計数装置が計数した遊技媒体の計数値を計数装置と通信する端末装置が取得し、記録媒体から媒体識別子を端末装置が読み取り、媒体識別子に計数値を関連付けて計数値情報として端末装置が管理装置へ送信し、端末装置から受信した計数値情報を管理装置が記憶し、記録媒体から計数値を用いて再遊技するために台間装置が識別子を読み取り、計数値以下の所定の遊技媒体数の払出の指示を台間装置が行うこととしたので、非各台計数方式の遊技台において獲得した持玉によって、景品交換を経由する必要なく各台計数方式の遊技台で再遊技することができるという効果を奏する。
【００１８】
また、本発明によれば、端末装置にあらかじめ収納されている記録媒体の媒体識別子を端末装置が読み取り、記録媒体の発行指示を受けたならば、計数値が関連付けられた記録媒体の発行を端末装置が行うこととしたので、非各台計数方式の遊技台において獲得した持玉によって、景品交換を経由する必要なく、非会員の一般遊技者に対しても各台計数方式の遊技台で再遊技することができるという効果を奏する。
【００１９】
また、本発明によれば、端末装置外から持ち込まれた記録媒体の媒体識別子を端末装置が読み取ることとしたので、非各台計数方式の遊技台において獲得した持玉によって、非会員の一般遊技者に対しても、遊技者のもつ携帯電話端末、ビジターカード、および、従業員のもつ台移動用のカードを利用して景品交換を経由する必要なく各台計数方式の遊技台で再遊技することができるという効果を奏する。
【００２０】
また、本発明によれば、遊技者が当該計数値を利用して再遊技を行う遊技台の遊技媒体の貸出を行うレートである貸出レートを端末装置が入力して、端末装置にあらかじめ記憶されており端末装置が属するレートを計数レートとしたうえで、貸出レートと計数レートとが異なる場合、計数値取得手段で取得した計数値を当該貸出レートおよび当該計数レートに基づいて端末装置が換算することとしたので、非各台計数方式の遊技台において獲得した持玉によって、景品交換を経由する必要なく各台計数方式の遊技台で再遊技することができるとともに、非会員の一般遊技者に対しても異なる交換レートの遊技台へ台移動を行うことができるという効果を奏する。
【００２１】
また、本発明によれば、端末装置にあらかじめ記憶されており端末装置が属するレートを計数レートとしたうえで、媒体識別子に計数レートをさらに関連付けて計数値情報として端末装置が管理装置に送信し、遊技媒体の貸出を行うレートである貸出レートを台間装置から受け取ったならば、貸出レートと計数レートとが異なる場合、計数値を当該貸出レートおよび当該計数レートに基づいて管理装置が換算することとしたので、異なる交換レートの遊技台で払出を行う度に換算することで、換算にかかる手数料を必要最小限に抑えることで、遊技者に対して不利益とならないようにすることができるという効果を奏する。
【図面の簡単な説明】
【００２２】
【図１】図１は、本発明にかかる計数値管理システムの概要を示す図である。
【図２】図２は、実施例１にかかるカード端末機、計数機および管理装置の構成を示すブロック図である。
【図３】図３は、実施例１にかかる計数機能付き台間装置および管理装置の構成を示すブロック図である。
【図４】図４は、実施例１にかかる店内システムのシステム構成図である。
【図５】図５は、実施例１にかかるカード端末機が行う処理手順を示すフローチャートである。
【図６】図６は、実施例２にかかるカード端末機の構成を示すブロック図である。
【図７】図７は、実施例３にかかるカード端末機での換算処理を説明する図である。
【図８】図８は、実施例３にかかるカード端末機の構成を示すブロック図である。
【図９】図９は、実施例３にかかるカード端末機が行う処理手順を示すフローチャートである。
【図１０】図１０は、計数値情報の変形例を示す図である。
【図１１】図１１は、実施例４にかかる計数値管理システムの概要を説明する図である。
【発明を実施するための形態】
【００２３】
以下に添付図面を参照して、本発明にかかる計数値管理システムの好適な実施例を詳細に説明する。なお、以下では、本発明にかかる計数値管理システムの概要について図１を用いて説明した後に、本発明にかかる計数値管理システムについての実施例を図２〜図１１を用いて説明することとする。
【００２４】
今回の本発明にかかる計数値管理システムでは、計数機能をもたない台間装置に併設される遊技台によって獲得した遊技媒体を、遊技店内の計数機によって計数し、計数された計数値を関連付けた計数カードによって、計数機能付き台間装置に併設される遊技台でも再遊技ができる点に主たる特徴がある。
【００２５】
図１は、本発明にかかる計数値管理システムの概要を示す図である。同図に示すように、パチンコ店には、遊技者が獲得したパチンコ玉を計数した計数値を計数値情報として管理している管理装置と、計数機能なし台間装置と、カード端末機と、計数機能付き台間装置とが接続されている。さらに、カード端末機には、パチンコ玉を計数する計数機が併設されている。
【００２６】
まず、計数機能なし台間装置に併設されるパチンコ機にて遊技者が獲得したパチンコ玉を、島端に設置される計数機に持って行き、計数機によってパチンコ玉の計数を行う(同図の(１)参照)。
【００２７】
ここで、計数機によって計数されたパチンコ玉の数量（以下、「計数値」と記載する）が１０５０個であった場合、併設されるカード端末機では、装置内部に収納されている計数カードのカードＩＤ（ここでは００１）と計数値（１０５０個）とを管理装置に送信する。
【００２８】
一方、管理装置では、カード端末機からカードＩＤと計数値とを受信したら、カードＩＤに関連付けて計数値を計数値情報に、「カードＩＤ：００１、計数値：１０５０個」と登録する（同図の（２）参照）。
【００２９】
その後、カード端末機では、カードＩＤが００１である計数カードを発行し（同図の（３）参照）、遊技者は発行された計数カードをもって、計数機能付き台間装置に併設される遊技台に台移動を行い、再遊技することができる（同図の（４）参照）。
【００３０】
そして、計数機能付き台間装置に併設される遊技台で再遊技を行う際には、カードＩＤ００１の計数カードを挿入して、管理装置の計数値情報に記録されるカードＩＤ００１に関連付けられた計数値によって、パチンコ玉の払出を行う。
【００３１】
このように、非各台計数方式の遊技台において獲得した持玉によって、景品交換を経由する必要なく各台計数方式の遊技台で再遊技することができる計数値管理システムを提供することができる。以下では、本発明にかかる計数値管理システムについての実施例を詳細に説明する。
【００３２】
まず、実施例１では、計数機で計数したパチンコ玉の計数値を、カード端末機の装置内部に収納されている計数カードに関連付けて、管理装置で計数値情報として記憶し、かかる計数カードを発行する計数値管理システムについて説明する。
【００３３】
また、実施例２では、カード端末機で、携帯電話端末をかざすことによって、携帯電話端末の識別子を読み取り、管理装置では、読み取った識別子と関連付けて計数値を計数値情報として記憶する計数値管理システムについて説明する。
【００３４】
実施例３では、持玉を獲得した遊技台の交換レートとは異なる遊技台で再遊技をする際に、計数値を再遊技する遊技台のレートに換算して、ビジターカードを含む計数カードに換算した数値を関連付ける計数値管理システムについて説明する。
【００３５】
最後に、実施例４では、パチンコ機で獲得した持玉の計数値を、媒体種別および交換レートが異なるメダルの枚数に換算して、換算した数値のメダルによって、パチスロ機へ台移動を行って、再遊技をすることができる計数値管理システムについて説明する。
【実施例１】
【００３６】
以下では、本発明にかかる実施例１について図２〜図５を用いて詳細に説明する。まず、実施例１にかかる計数値管理システムの構成について図２および図３を用いて説明する。
【００３７】
図２は、実施例１にかかるカード端末機１０、計数機２０および管理装置３０の構成を示すブロック図である。なお、図２では、カード端末機１０、計数機２０および管理装置３０の特徴点を説明するために必要な構成要素のみを抜粋して示している。
【００３８】
まず、計数機２０では、遊技者が獲得したパチンコ玉が投入されると、図示しない計数部によって計数を行い、計数機２０に併設されているカード端末機１０に計数値を送信する処理を行う。
【００３９】
また、カード端末機１０は、カード読取部１１と、操作部１２と、カード発行部１３と、通信Ｉ／Ｆ（インターフェース）１４と、制御部１５とを備えており、制御部１５は、計数値取得部１５ａと、計数値送信部１５ｂとをさらに備えている。
【００４０】
カード読取部１１は、遊技者によって挿入された計数カードまたはあらかじめカード端末機１０に収納されている計数カードに関連付けられたカードＩＤを読み取って、計数値送信部１５ｂ等の制御部１５へ受け渡す。
【００４１】
操作部１２は、カード発行操作を行うカード発行ボタンやキャンセルボタン等を備えている。たとえば、計数機２０から受信した計数値を、カード端末機１０の図示しない表示部に表示した後、従業員等がカード発行ボタンを押下することによって、カード端末機１０は計数カードの発行指示を計数値送信部１５ｂ等の制御部１５へ受け渡す。
【００４２】
カード発行部１３は、計数値送信部１５ｂから計数カードの発行指示を受け取ったら、カード読取部１１で読み取った計数カードを投出する。
【００４３】
通信Ｉ／Ｆ１４は、ＬＡＮカード等の通信デバイスで構成され、ＬＡＮ等のネットワーク経由で他装置との通信を可能にする。たとえば、計数カードを発行する際に、カード端末機１０から管理装置３０へカードＩＤおよび計数値を送信する等、カード端末機１０と管理装置３０との間のデータ送受信を行う。
【００４４】
計数値取得部１５ａは、計数機２０で計数されたパチンコ玉の計数値を、通信Ｉ／Ｆ１４経由で受信する処理を行う処理部である。その後、計数値取得部１５ａは、図示しない表示部に対して、受信した計数値の表示指示をする処理を併せて行う。
【００４５】
計数値送信部１５ｂは、カード発行ボタンが押下されたことによって、カード読取部１１で読み取ったカードＩＤと計数値取得部１５ａで受信した計数値とを管理装置３０へ送信する処理を行う処理部である。また、計数値送信部１５ｂは、カード発行部１３へ計数カードの発行指示を受け渡す処理を併せて行う。
【００４６】
一方、管理装置３０は、通信Ｉ／Ｆ３１と、記憶部３２と、制御部３３とを備えており、制御部３３は、計数値登録部３３ａと、計数値通知部３３ｂとをさらに備えており、記憶部３２は、計数値情報３２ａを記憶する。
【００４７】
通信Ｉ／Ｆ３１は、ＬＡＮカード等の通信デバイスで構成され、ＬＡＮ等のネットワーク経由で他装置との通信を可能にする。たとえば、計数値情報として登録する際、カード端末機１０からカードＩＤおよび計数値を受信する等、管理装置３０とカード端末機１０との間のデータ送受信を行う。
【００４８】
記憶部３２は、不揮発性メモリやハードディスクドライブといった記憶デバイスで構成される記憶部であり、計数値登録部３３ａが通信Ｉ／Ｆ３１を介して受信したカードＩＤに関連付けて計数値を計数値情報３２ａとして記憶する。また、計数値以外にも当該カードＩＤに対応する有価価値残高（プリペイド残高）も記憶し、管理している。
【００４９】
計数値登録部３３ａは、計数値送信部１５ｂが送信したカードＩＤおよび計数値を通信Ｉ／Ｆ３１を介して受信したら、カードＩＤに関連付けて計数値や有価価値残高（プリペイド残高）を計数値情報３２ａに記憶する処理を行う処理部である。
【００５０】
計数値通知部３３ｂは、計数機能付き台間装置４０からカードＩＤを通信Ｉ／Ｆ３１を介して受信することによって、計数値の問い合わせが行われたら、受信したカードＩＤに関連付けられた計数値情報３２ａに記憶される計数値を、計数機能付き台間装置４０に通知する処理を行う処理部である。
【００５１】
つづいて、実施例１にかかる計数機能付き台間装置４０および管理装置３０の構成について図３を用いて説明する。図３は、実施例１にかかる計数機能付き台間装置４０および管理装置３０の構成を示すブロック図である。
【００５２】
管理装置３０は、図２を用いて説明したとおりであり、計数機能付き台間装置４０は、カード読取部４１と、操作部４２と、通信Ｉ／Ｆ４３と、記憶部４４と、制御部４５とを備えており、制御部４５は、計数値情報取得部４５ａと、払出処理部４５ｂとをさらに備えており、記憶部４４は、計数値４４ａを記憶する。
【００５３】
カード読取部４１は、遊技者によって挿入された計数カードに関連付けられたカードＩＤを読み取って、計数値情報取得部４５ａへ受け渡し、カードＩＤに関連付けられた計数値情報３２ａの問い合わせを行う。
【００５４】
操作部４２は、払出要求操作を行う払出ボタンおよびカード返却要求操作を行う返却ボタンを備えている。払出ボタンが押下されて払出要求を受け付けたら、払出処理部４５ｂへ処理を受け渡し、また、カード返却ボタンが押下されてカード返却要求を受け付けたら、計数カードを返却する処理を行う。
【００５５】
通信Ｉ／Ｆ４３は、ＬＡＮカード等の通信デバイスで構成され、ＬＡＮ等のネットワーク経由で他装置との通信を可能にする。たとえば、遊技終了時に計数機能付き台間装置４０から管理装置３０へカードＩＤおよび計数値を送信する等、計数機能付き台間装置４０と管理装置３０との間のデータ送受信を行う。
【００５６】
記憶部４４は、不揮発性メモリやハードディスクドライブといった記憶デバイスで構成される記憶部であり、計数値情報取得部４５ａが取得した計数値４４ａを記憶する。
【００５７】
計数値情報取得部４５ａは、カード読取部４１から受け渡されたカードＩＤに基づいて管理装置３０に備える計数値情報３２ａから、カードＩＤに関連付けられた計数値を取得して、記憶部４４の計数値４４ａに記憶する処理を行う処理部である。
【００５８】
払出処理部４５ｂは、操作部４２から払出要求を受け付けたら、計数値４４ａによってパチンコ玉の払出処理を行う処理部である。さらに、記憶部４４に記憶される計数値４４ａから払出した玉数を減算して、計数値４４ａに記憶する処理を併せて行う。
【００５９】
つぎに、実施例１にかかる遊技店の店内システムのシステム構成について図４を用いて説明する。図４は、実施例１にかかる店内システムのシステム構成図である。
【００６０】
同図に示すように、遊技店に設置された管理装置３０には、ＬＡＮ（Local  Area  Network）等のネットワーク経由で計数機能なし台間装置５０と、カード端末機１０と、計数機能付き台間装置４０と、再遊技玉貸機７０と、景品管理装置８０とが接続されている。さらに、管理装置３０は、管理装置３０が備えるデータベースに計数値情報３２ａを記憶して、計数カードや会員カードのカードＩＤに関連付けて持玉の計数値を管理している。
【００６１】
また、計数機能なし台間装置５０は、パチンコ機６０ａが接続されており、所定数の計数機能なし台間装置５０およびパチンコ機６０ａと、計数機２０と、カード端末機１０と、再遊技玉貸機７０とを含む一群を計数機能なし台間装置コーナーと呼ぶこととする。
【００６２】
一方、計数機能付き台間装置４０には、パチンコ機６０ｂが接続されており、所定数の計数機能付き台間装置４０およびパチンコ機６０ｂを含む一群を計数機能付き台間装置コーナーと呼ぶこととする。
【００６３】
パチンコ機６０ａおよびパチンコ機６０ｂは、パチンコ玉を遊技領域に発射して遊技者がパチンコ遊技を行う装置であり、実施例１では、カード対応のパチンコ機６０ａおよびパチンコ機６０ｂであるものとしている。
【００６４】
カード端末機１０には、計数機２０が接続されており、計数機２０およびカード端末機１０は、計数機能なし台間装置コーナーの端等に併設された計数装置であり、計数機２０で、計数機能なし台間装置５０に併設されるパチンコ機６０ａにおいて、遊技者が獲得したパチンコ玉を計数する。
【００６５】
そして、計数機２０によってパチンコ玉を計数する際、計数機２０に併設されたカード端末機１０では、あらかじめ収納されている計数カードに、計数された計数値を関連付けて、計数カードを投出する。また、カード端末機１０に、計数カードや会員カードをかざしたりすることで、遊技者は、計数された計数値が関連付けられた計数カードを受け取ることができる。
【００６６】
再遊技玉貸機７０は、計数機能なし台間装置コーナーの端等に併設されており、再遊技する際、カードに基づいてパチンコ玉の貸出を行う。具体的には、再遊技玉貸機７０は、計数カードや会員カードに関連付けられた計数値を読込んで、計数値によってパチンコ玉の貸出を行う。
【００６７】
また、計数機２０で計数したパチンコ玉に基づき、計数したパチンコ玉とは交換レートが異なるパチンコ玉の貸出を行う。たとえば、１玉１円で払出す１円遊技台で獲得したパチンコ玉を、１玉４円で払出す４円遊技台で再遊技することができるパチンコ玉へ変換して貸出す。
【００６８】
景品管理装置８０には、カード端末機１０が接続されている。景品管理装置８０は、遊技店内の景品交換カウンタに併設された景品交換用の端末装置であり、図示しない交換玉数管理情報を用いて獲得玉と景品との交換を管理する。この交換玉数管理情報は、景品毎にその景品との交換に要する交換玉数を関連付けて記憶している。
【００６９】
また、遊技者は、景品交換カウンタへ計数カードを持参し、景品管理装置８０に持玉数と関連付けられているカードを挿入したり、景品管理装置８０に併設されたカード端末機１０に計数カードや会員カードをかざしたりすることで、残数に応じた景品を受け取ることができる。
【００７０】
その際、景品交換カウンタ内の従業員が、遊技者により指定された景品に対応する交換ボタンを押下し、景品管理装置８０は、当該景品に相当する交換玉数を獲得玉から減算する交換制御を実行させ、その後に従業員による手作業で遊技者に受け渡す。
【００７１】
このように、遊技店には、会員をはじめ遊技者に対してサービスを提供するシステムとして、会員カードを取り扱う店内機器（例えば、計数機能付き台間装置４０、計数機能なし台間装置５０および景品管理装置８０等）とこれらの店内機器を管理する図示しない会員管理装置とを含んで構成される会員管理システム、そして、カードを取り扱う店内機器（例えば、計数機能付き台間装置４０、計数機能なし台間装置５０およびカード端末機１０等）を含んで構成されるカードシステム、さらには、遊技台の台データを取り扱う店内機器（例えば、計数機能付き台間装置４０やパチンコ機６０ｂ等）を含んで構成されるシステムが併存している。
【００７２】
つぎに、カード端末機１０が実行する処理手順について図５を用いて説明する。図５は、実施例１にかかるカード端末機１０が行う処理手順を示すフローチャートである。
【００７３】
同図に示すように、カード端末機１０は、計数機２０で計数されたパチンコ玉の計数値を取得したら（ステップＳ１０１）、計数値を表示部に表示し、従業員等が確認した後カード発行ボタンを押下することによって、操作部１２からカード発行指示を受信する（ステップＳ１０２）。
【００７４】
そして、カード読取部１１は、装置内部に収納されている計数カードのカードＩＤを読み取り（ステップＳ１０３）、計数値送信部１５ｂでは、カードＩＤと計数値とを管理装置３０へ送信する（ステップＳ１０４）ことによって、管理装置３０で、カードＩＤに関連付けて計数値を計数値情報３２ａに記憶することとなる。
【００７５】
その後、カード発行部１３では、計数値が関連付けられた計数カードを投出することによって、計数カードを発行して（ステップＳ１０５）、遊技者は、計数された計数値が関連付けられた計数カードを受け取ることができる。
【００７６】
上述してきたように、実施例１では、計数機能をもたない台間装置に併設される遊技台によって獲得したパチンコ玉を、遊技店内の計数機２０によって計数し、計数値をカード端末機１０に送信する。
【００７７】
そして、カード端末機１０では、装置内部に収納されている計数カードに受信した計数値を関連付けて発行することによって、遊技者は景品交換を経由する必要なく、発行された計数カードをもって、各台計数方式を採用した遊技台へ台移動をすることができる。
【００７８】
さらに、各台計数方式を採用した遊技台で、大当たり等で遊技媒体を更に獲得した場合、計数部で計数を行い、その計数値分を計数カードに加算することができる。また、この計数カードは計数機能をもたない台間装置にも適用が可能であり、その動作は計数機能付き台間装置４０とほぼ同じであり、計数分の遊技媒体の払出が貸出分と同じルートで払出を行うのと、獲得した玉の計数ができないため、計数データの加算ができないという違いくらいである。
【００７９】
さて、これまで本発明の実施例１について説明してきたが、本発明は上記した実施例以外にも、種々の異なる形態にて実施されてよいものである。実施例１においては、計数値を装置内部に収納されている計数カードに関連付けるようにした。
【００８０】
しかしながら、本発明はこれに限られるものではなく、カード端末機および計数機能付き台間装置４０に、携帯電話端末や所定の計数カードをかざすことによって、これらの媒体の識別子を読み取るように構成してもよい。
【実施例２】
【００８１】
以下では、本発明にかかる計数値管理システムの実施例２について図６を用いて説明する。図６は、実施例２にかかるカード端末機１０ａの構成を示すブロック図である。なお、図６では、図２と比較して同様の機能を発揮する部分については同一の符号を用いており、異なる機能について説明することとする。
【００８２】
カード端末機１０ａは、携帯電話端末の識別子を読み取る機能がある点で、図２のカード端末機１０とは異なる。具体的には、カード端末機１０ａは、カード端末機１０に設ける機能の他に、受付部１５ｄと、携帯読取部１７とを備える。
【００８３】
ここで、操作部１２は、計数値の関連付け操作を行う開始ボタンやキャンセルボタン等を備えている。たとえば、計数機２０から受信した計数値を、カード端末機１０ａの図示しない表示部に表示し、従業員等が確認後、開始ボタンを押下することによって、カード端末機１０ａは計数値の関連付け操作指示を受付部１５ｄへ受け渡す。
【００８４】
受付部１５ｄは、カード端末機１０ａに遊技者の所有する携帯電話端末をかざすよう、図示しない表示部に表示するとともに、計数値取得部１５ａが取得した計数値を計数値送信部１５ｂへ受け渡す処理を行う処理部である。
【００８５】
ところで、近年では、唯一の識別子をもつＦｅｌｉＣａ（登録商標）と呼ばれる、ＩＣ（Integrated  Circuit）チップを内蔵した携帯電話端末（以下、「おサイフケータイ（登録商標）」と記載する）が知られている。
【００８６】
そこで、携帯読取部１７では、遊技者の所有するおサイフケータイ（登録商標）機能をもつ携帯電話端末をかざすことによって、おサイフケータイ（登録商標）の識別子（以下、「ＩＤｍ」と記載する）を読み取り、読み取ったＩＤｍを計数値送信部１５ｂへ受け渡す。
【００８７】
計数値送信部１５ｂでは、携帯読取部１７からＩＤｍを受け取ったら、ＩＤｍと計数値とを管理装置３０へ送信する。一方、管理装置３０では、ＩＤｍに関連付けて計数値を計数値情報３２ａとして記録することとする。
【００８８】
計数機能付き台間装置４０では、おサイフケータイ（登録商標）機能をもつ携帯電話端末をかざすことによって、ＩＤｍを読み取り、読み取ったＩＤｍに基づいて管理装置３０に計数値情報３２ａの問い合わせを行う。そして、計数機能付き台間装置４０では、読み取ったＩＤｍに関連付けられた計数値によって、パチンコ玉の払出を行うこととする。
【００８９】
上述してきたように、実施例２では、計数機能をもたない台間装置に併設される遊技台によって獲得したパチンコ玉の計数値を、遊技者の所有するおサイフケータイ（登録商標）のＩＤｍに関連付けることによって、遊技者は景品交換を経由する必要なく、自身の携帯電話端末をもって、各台計数方式を採用した遊技台へ台移動をすることができる。この場合、遊技店は計数カードを発行しなくてもよいため、計数カードの発行にかかるコストを大幅に削減することができる。
【００９０】
さらに、各台計数方式を採用した遊技台で、大当たり等で遊技媒体を更に獲得した場合、計数部で計数を行い、その計数値分をおサイフケータイ（登録商標）に関連付けられた計数値に加算することができる。また、このおサイフケータイ（登録商標）は計数機能をもたない台間装置にも適用が可能であり、その動作は計数機能付き台間装置４０とほぼ同じであり、計数分の遊技媒体の払出が貸出分と同じルートで払出を行うのと、獲得した玉の計数ができないため、計数データの加算ができないという違いくらいである。
【００９１】
ところで、近年、遊技店においては、交換レートが異なる複数の遊技台コーナーを設けるケースが増加してきている。たとえば、パチンコ玉を１玉４円で払出す４円遊技台コーナーとパチンコ玉を１玉１円で払出す１円遊技台コーナーとを併設する遊技店も見受けられる。
【実施例３】
【００９２】
そこで、以下では、計数機２０で計数したパチンコ玉に基づき、計数したパチンコ玉とは交換レートが異なるパチンコ玉への換算を行って、ビジターカードを含む計数カードに換算した数値を関連付ける計数値管理システムの実施例３について図７〜図１０を用いて説明する。
【００９３】
交換レートが異なる複数の遊技台コーナーを設ける遊技店では、持玉を獲得した遊技台の交換レートとは異なる遊技台で再遊技をする際に、所定の換算率に基づいて計数値を換算している。
【００９４】
図７は、実施例３にかかるカード端末機での換算処理を説明する図である。たとえば、同図表に示すように、１円レートの持玉数１００個によって４円レートの遊技台で再遊技をする際に、手数料を５個とする遊技店の場合を説明する。
【００９５】
この場合、１円レートの持玉数１００個を、単に４円レートに変換すると２５個（１００個÷４円×１円）であるが、手数料が５個必要であるので、１円レートの持玉数１０５個を換算すると、４円レートの換算値は２５個となる。
【００９６】
したがって、このように１円レートから４円レートに換算する際に５％の手数料がかかる遊技店では、１円レートの持玉数１０５０個を４円レートに換算した場合の換算値は、２５０個となる（同図表の下部参照）。
【００９７】
つぎに、実施例３にかかるカード端末機の構成について図８を用いて説明する。図８は、実施例３にかかるカード端末機の構成を示すブロック図である。なお、図８では、図２と比較して同様の機能を発揮する部分については同一の符号を用いており、異なる機能について説明することとする。
【００９８】
カード端末機１０ｂは、計数値を換算する機能がある点で、図２のカード端末機１０とは異なる。具体的には、カード端末機１０ｂは、カード端末機１０に設ける機能の他に、換算部１５ｅを備える。
【００９９】
ここで、計数値取得部１５ａでは、計数機２０で計数したパチンコ玉の計数値とともに、計数した際のレート（以下、「計数レート」と記載する）を取得する点で、図２のカード端末機１０とは異なる。
【０１００】
また、操作部１２は、計数値によってパチンコ玉の貸出を行うレート（以下、「貸出レート」と記載する）のレート選択ボタン、換算処理を行う換算開始ボタンおよびキャンセルボタン等を備えている。たとえば、計数機２０から受信した計数値および貸出レートを、カード端末機１０ｂでは、図示しない表示部に表示する。そして、遊技者または従業員によって貸出レートを選択した後、操作部１２は、換算開始ボタンが押下されたことによって、計数値の換算処理指示を換算部１５ｅへ受け渡す。
【０１０１】
換算部１５ｅは、計数レートと貸出レートとが異なっていた場合に、所定の換算率に基づいて計数値を貸出レートで換算する。また、換算部１５ｅでは、計数カードをかざすよう報知するとともに、計数値または換算値を計数値送信部１５ｂへ受け渡す。
【０１０２】
カード読取部１１では、計数カードをかざす、または、挿入することによって、カードＩＤを読み取り、読み取ったカードＩＤを計数値送信部１５ｂへ受け渡す。
【０１０３】
計数値送信部１５ｂは、カード読取部１１からカードＩＤを受け取ったら、計数値または換算値とカードＩＤとを管理装置３０へ送信する。一方、管理装置３０では、カードＩＤに関連付けて受信した数値を計数値情報３２ａとして記録することとする。
【０１０４】
計数機能付き台間装置４０では、計数カードを挿入することによって、カードＩＤを読み取り、読み取ったカードＩＤに基づいて管理装置３０に計数値情報３２ａの問い合わせを行う。そして、計数機能付き台間装置４０では、読み取ったカードＩＤに関連付けられた計数値によって、パチンコ玉の払出を行うこととする。
【０１０５】
つぎに、カード端末機１０ｂが実行する処理手順について図９を用いて説明する。図９は、実施例３にかかるカード端末機１０ｂが行う処理手順を示すフローチャートである。
【０１０６】
同図に示すように、計数値取得部１５ａでは、計数機２０で計数されたパチンコ玉の計数値を取得し、さらに、遊技台番号入力またはレート入力されたことによって計数レートを取得したら（ステップＳ２０１）、計数値を表示部に表示し、操作部１２から換算開始指示とともに貸出レートを受信する（ステップＳ２０２）。
【０１０７】
そして、換算部１５ｅは、計数レートと貸出レートとが異なるか否かを判定し（ステップＳ２０３）、計数レートと貸出レートとが異なる場合（ステップＳ２０３：Ｙｅｓ）、換算が必要であると判定し、貸出レートで換算処理を行う（ステップＳ２０４）。
【０１０８】
その後、カード読取部１１では、計数カードのカードＩＤを読み取り（ステップＳ２０５）、計数値送信部１５ｂは、カードＩＤとともに換算値を管理装置３０へ送信して（ステップＳ２０６）一連の処理を終了する。
【０１０９】
一方、計数レートと貸出レートとが同じ場合（ステップＳ２０３：Ｎｏ）、換算部１５ｅは、換算が必要ではないと判定し、カード読取部１１で、計数カードのカードＩＤを読み取る（ステップＳ２０７）。
【０１１０】
そして、計数値送信部１５ｂは、カードＩＤとともに計数値を管理装置３０へ送信して（ステップＳ２０８）一連の処理を終了する。
【０１１１】
上述してきたように、実施例３では、計数機能をもたない台間装置に併設される遊技台によって獲得したパチンコ玉の計数値を異なる交換レートで換算して、ビジターカードを含む計数カードに換算した換算値を関連付けることとした。
【０１１２】
したがって、非各台計数方式の遊技台において獲得した持玉によって、景品交換を経由する必要なく各台計数方式の遊技台で再遊技することができるとともに、非会員の一般遊技者に対しても異なる交換レートの遊技台へ台移動を行うことができる。
【０１１３】
さらに、各台計数方式を採用した遊技台で、大当たり等で遊技媒体を更に獲得した場合、計数部で計数を行い、その計数値分を計数カードに加算することができる。また、この計数カードは計数機能をもたない台間装置にも適用が可能であり、その動作は計数機能付き台間装置４０とほぼ同じであり、計数分の遊技媒体の払出が貸出分と同じルートで払出を行うのと、獲得した玉の計数ができないため、計数データの加算ができないという違いくらいである。
【０１１４】
なお、上述した実施例３では、カード端末機１０ｂが、所定の換算率に基づいて計数値を貸出レートで換算するように構成したが、換算率を管理装置３０等で記憶しておき、自由に換算率の設定および変更ができるようにしてもよい。
【０１１５】
たとえば、換算率を管理装置３０で記憶しておき、カード端末機１０ｂでは、換算する際に管理装置３０から換算率を取得し、取得した換算率に基づいて換算するようにしてもよい。これによって、遊技店の運営形態に応じた柔軟な対応をすることができる。
【０１１６】
具体的には、遊技店が「本日は、異なる交換レートの遊技台へ台移動して再遊技を行う際の、手数料無料」といったイベントを行う際には、管理装置３０の換算率の設定で、「手数料０％」とするだけでよく、容易なメンテナンスによって、柔軟に設定変更することができる。
【０１１７】
また、上述した実施例３では、カード端末機１０ｂが貸出レートで計数値を換算し、計数カードに換算値を関連付けるように説明したが、本発明はこれに限られるものではなく、管理装置３０で、換算処理を行うよう構成してもよい。
【０１１８】
計数値の異なるレートへの換算処理の変形例について図１０を用いて説明する。図１０は、計数値情報３２ａの変形例を示す図である。ここで、同図に示すように、変形例にかかる計数値情報は、カードＩＤに関連付けて、「計数レート」項目が追加されている点で、図１に示した計数値情報とは異なる。
【０１１９】
変形例にかかる計数値情報には、計数機２０でパチンコ玉を計数した計数値とともに、計数したパチンコ玉の交換レートを「計数レート」項目として、カードＩＤに関連付けて登録しておく。
【０１２０】
そして、計数値および計数レートが関連付けられた計数カードによって、計数レートとは異なる交換レートのパチンコ機で再遊技する場合、管理装置３０が計数値情報の計数値を再遊技するパチンコ機のレートに換算して、払出をするようにする。
【０１２１】
たとえば、１円遊技台で獲得したパチンコ玉を計数機２０で計数し、カード端末機１０ｂでカードＩＤ００１の計数カードに計数値１０５０個および計数レート１円を関連付けて、管理装置３０の計数値情報に登録した場合について説明する。
【０１２２】
遊技者が、カードＩＤ００１の計数カードをもって、４円遊技台で再遊技をする際に、４円遊技台に併設される計数機能付き台間装置４０に計数カードを挿入した際、計数機能付き台間装置４０は挿入された計数カードのカードＩＤ００１を読み取る。
【０１２３】
そして、計数機能付き台間装置４０は、あらかじめ記憶している自装置に併設される遊技台の貸出レート（ここでは４円）と、読み取ったカードＩＤ００１とを管理装置３０に送信することで、計数カードに関連付けられている計数値の問い合わせを行う。
【０１２４】
一方、管理装置３０では、受信したカードＩＤ００１に関連付けられた計数値情報の計数値および計数レートを取得し、受信した貸出レート（４円）と計数レート（１円）が異なる場合に、所定の換算率に基づいて計数値を換算する。
【０１２５】
具体的な換算方法として、１円レートから４円レートに換算する際に５％の手数料がかかる遊技店であったとした場合には、１円レートの持玉数１０５０個を４円レートに換算した場合の換算値は２５０個となる。
【０１２６】
そして、管理装置３０は、換算した換算値（２５０個）を計数機能付き台間装置４０に送信して、計数機能付き台間装置４０では、受信した換算値（２５０個）に基づいてパチンコ玉の払出を行うこととする。
【０１２７】
このようにすることで、遊技者は獲得した持玉を計数する際に、再遊技する遊技台のレートを決める必要がないので、計数値が関連付けられた計数カードをもって、遊技台の交換レートを気にすることなく、遊技台を自由に選択することができる。
【０１２８】
なお、上述した実施例３では、計数レートと貸出レートとが異なる場合に、所定の換算率に基づいて計数値を換算し、異なる交換レートの遊技台へ台移動を行うことができるように説明したが、実施例１および実施例２にも同様に換算処理を適用することができる。
【実施例４】
【０１２９】
最後に、以下では、パチンコ機で獲得した持玉の計数値を、媒体種別および交換レートが異なるメダルの枚数に換算して、換算した数値のメダルによって、パチスロ機へ台移動を行って、再遊技をすることができる計数値管理システムについて図１１を用いて説明する。
【０１３０】
図１１は、実施例４にかかる計数値管理システムの概要を説明する図である。同図に示すように、パチンコ店には、遊技者が獲得したパチンコ玉を計数した計数値を計数値情報として管理している管理装置と、カード端末機と、台間装置とが接続されている。
【０１３１】
さらに、カード端末機には、パチンコ玉を計数する計数機および再遊技する際にカードに基づいてメダルの貸出を行う再遊技メダル貸機が併設されており、台間装置には、メダルによって遊技を行うパチスロ機が併設されている。
【０１３２】
まず、計数機能なし台間装置に併設されるパチンコ機にて遊技者が獲得したパチンコ玉を、島端に設置される計数機に持って行き、計数機によってパチンコ玉の計数を行う(同図の(１)参照)。
【０１３３】
そして、カード端末機では、計数値および計数値を所定の換算率に基づいて換算した換算値すなわち投出されるメダルの枚数を表示することによって、遊技者に対して換算値の確認を促す（同図の（２）参照）。
【０１３４】
その後、遊技者によって、換算開始ボタンを押下されたことにより、再遊技メダル貸機では、カード端末機に表示された枚数のメダルを投出し（同図の（３）参照）、遊技者は、投出されたメダルによって、パチスロ機に台移動を行い再遊技することができる（同図の（４）参照）。
【０１３５】
上述してきたように、実施例４では、カード端末機で計数値をメダルに換算して、再遊技メダル貸機によって換算したメダルを投出することによって、非各台計数方式の遊技台において獲得した持玉によって、景品交換を経由する必要なく、異なる交換レート、さらには異なる遊技媒体の遊技台へ台移動を行うことができる。
【０１３６】
なお、上述した実施例４では、カード端末機で、計数値をメダルに換算するようにしたが、計数機および再遊技メダル貸機の装置構成として、再遊技メダル貸機が、投出されるメダルの枚数表示を行い、計数機から受け取った計数値をメダルに換算してもよい。
【０１３７】
また、上述した実施例４では、パチンコ機で獲得した持玉の計数値を、媒体種別および交換レートが異なるメダルを再遊技メダル貸機によって、換算して払出するようにした。
しかし、図４の遊技店の店内システムのシステム構成の説明した際の、再遊技玉貸機７０によって、交換レートが異なるパチンコ玉を換算して払出するようにしてもよく、景品交換を経由する必要なく、異なる交換レートの遊技台へ台移動を行うことができる。
【０１３８】
なお、本発明請求項記載の端末装置はカード端末機１０、計数装置は計数機２０、台間装置は計数機能付き台間装置４０、管理装置は管理装置３０、計数値取得手段は計数値取得部１５ａ、媒体識別子読取手段はカード読取部１１、計数値情報送信手段は計数値送信部１５ｂ、計数値情報記憶手段は計数値情報３２ａ、再遊技媒体識別子読取手段はカード読取部４１、遊技媒体払出手段は払出処理部４５ｂに相当するものである。
【０１３９】
なお、上述した実施例では、カード端末機で計数カードのカードＩＤを読み取るように説明したが、紙幣の残額などの有価価値残高（プリペイド残高）も記憶するカードを読み取り、計数値およびプリペイド残高を同じカードで管理できるようにしてもよく、計数カードの発行にかかるコストを削減することができる。
【０１４０】
また、上述した実施例３では、計数レートと貸出レートとが異なる場合に、レート換算手数料を取って計数値を換算し、異なる交換レートの遊技台へ台移動を行うことができるように説明したが、実施例１、実施例２および実施例４にも同様に適用してもよい。また、台移動を行う際の「台移動手数料」を設定可能とし、遊技店によっては手数料を取るようにしてもよい。
【０１４１】
また、上述した実施例では、レート４円および１円を併用した場合について説明したが、レート４円、２円および１円というように、２種類以上の各種レートのパチンコ機を設けた遊技店で適用してもよい。
【０１４２】
また、上述した実施例では、管理装置３０が、計数カードまたは携帯電話端末の識別子に関連付けて計数値および計数レートを計数値情報として管理するように説明したが、計数カードや携帯電話端末に計数機によって計数された計数値や計数レートを書き込んで管理するようにしてもよい。
【０１４３】
この場合、計数値が書き込まれた計数カードや携帯電話端末をもって再遊技する際に、計数機能付き台間装置４０で、管理装置３０に計数値の問い合わせを行う必要がないので、計数機能付き台間装置４０と管理装置３０との間のＬＡＮ等のネットワーク回線にかかる通信負担を大幅に軽減することができる。
【０１４４】
また、上述した実施例では、計数カードのカードＩＤに計数値を関連付けるように説明したが、遊技店の会員となった遊技者へ配布される会員カードのカードＩＤに計数値を関連付けるようにしてもよい。この場合、会員カードを有する遊技者に、新たに計数カードを発行しなくてもよいため、計数カードの発行にかかるコストを削減することができる。
【０１４５】
また、上述した実施例では、パチンコ遊技に適用する例を説明したが、パチスロ遊技を対象としてさらに含めた場合又はパチスロ遊技のみを対象とした場合にも同様に適用することができる。
【産業上の利用可能性】
【０１４６】
以上のように、本発明にかかる計数値管理システムでは、各台計数方式を採用した遊技台と、非各台計数方式の遊技台が混在している遊技店で再遊技をする場合に有用であり、特に、非各台計数方式の遊技台において獲得した持玉によって、景品交換を経由する必要なく各台計数方式の遊技台へ台移動をしたり、非会員の一般遊技者に対しても異なる交換レートの遊技台へ台移動をする場合に適している。
【符号の説明】
【０１４７】
１０    カード端末機
１０ａ  カード端末機
１０ｂ  カード端末機
１１    カード読取部
１２    操作部
１３    カード発行部
１４    通信Ｉ／Ｆ
１５    制御部
１５ａ  計数値取得部
１５ｂ  計数値送信部
１５ｄ  受付部
１５ｅ  換算部
１７    携帯読取部
２０    計数機
３０    管理装置
３１    通信Ｉ／Ｆ
３２    記憶部
３２ａ  計数値情報
３３    制御部
３３ａ  計数値登録部
３３ｂ  計数値通知部
４０    計数機能付き台間装置
４１    カード読取部
４２    操作部
４３    通信Ｉ／Ｆ
４４    記憶部
４４ａ  計数値
４５    制御部
４５ａ  計数値情報取得部
４５ｂ  払出処理部
５０    計数機能なし台間装置
６０ａ  パチンコ機
６０ｂ  パチンコ機
７０    再遊技玉貸機
８０    景品管理装置
【図１】
2010273798.tif 000003
【図２】
2010273798.tif 000004
【図３】
2010273798.tif 000005
【図４】
2010273798.tif 000006
【図５】
2010273798.tif 000007
【図６】
2010273798.tif 000008
【図７】
2010273798.tif 000009
【図８】
2010273798.tif 000010
【図９】
2010273798.tif 000011
【図１０】
2010273798.tif 000012
【図１１】
2010273798.tif 000013